(57)【要約】  本発明は、通信方法、ネットワーク装置、および端末装置を提供する。通信方法は、第1の通信規格のネットワーク装置により、端末装置によって送信される中断通知メッセージを受信するステップであって、中断通知メッセージは端末装置が第2の通信規格のネットワークをリスンするため第1の通信規格のネットワークから退去することを通知するために使われ、第1の通信規格のネットワークはデータサービスを搬送し、第2の通信規格のネットワークは音声サービスを搬送する、ステップと、ネットワーク装置により、中断通知メッセージに従って、端末装置へスケジューリング情報を送信することを中断するステップと、端末装置によって送信される測定情報を検出することを中断するステップとを含む。本発明で提供される通信方法、ネットワーク装置、および端末装置は、スケジューリングリソースを節約して不正確な測定量の検出を回避するために利用できる。
2019521617.tif 000002
【特許請求の範囲】
【請求項１】
通信方法であって、
第1の通信規格のネットワーク装置により、端末装置によって送信される中断通知メッセージを受信するステップであって、前記中断通知メッセージは前記端末装置が第2の通信規格のネットワークをリスンするため前記第1の通信規格のネットワークから退去することを通知するために使われ、前記第1の通信規格の前記ネットワークはデータサービスを搬送し、前記第2の通信規格の前記ネットワークは音声サービスを搬送する、ステップと、
前記ネットワーク装置により、前記中断通知メッセージに従って、前記端末装置へスケジューリング情報を送信することを中断するステップと、前記端末装置によって送信される測定情報を検出することを中断するステップとを含む、通信方法。
【請求項２】
前記中断通知メッセージは前記端末装置が前記第1の通信規格の前記ネットワークから退去する方式についての情報を携え、前記方式情報は前記端末装置が前記第1の通信規格の前記ネットワークから退去する前記方式が周期的退去方式であるか、または非周期的退去方式であるかを指示するために使われ、
前記ネットワーク装置により、前記中断通知メッセージに従って、前記端末装置へスケジューリング情報を送信することを中断する前記ステップと、前記端末装置によって送信される測定情報を検出することを中断するステップは、
前記ネットワーク装置により、前記方式情報に基づいて、前記端末装置へスケジューリング情報を送信することを中断するステップと、前記端末装置によって送信される測定情報を検出することを中断するステップとを含む、請求項1に記載の通信方法。
【請求項３】
前記端末装置が前記第1の通信規格の前記ネットワークから退去する前記方式が前記周期的退去方式であることを前記方式情報が指示する場合、
前記ネットワーク装置により、前記方式情報に基づいて、前記端末装置へスケジューリング情報を送信することを中断する前記ステップと、前記端末装置によって送信される測定情報を検出することを中断するステップは、
前記ネットワーク装置により、前記方式情報に基づいて、前記端末装置へスケジューリング情報を送信することを周期的に中断するステップと、前記端末装置によって送信される測定情報を検出することを周期的に中断するステップとを含む、請求項2に記載の通信方法。
【請求項４】
前記中断通知メッセージは、中断開始フレーム情報と、中断間隔情報と、中断持続時間情報とをさらに携え、
前記ネットワーク装置により、前記方式情報に基づいて、前記端末装置へスケジューリング情報を送信することを周期的に中断する前記ステップと、前記端末装置によって送信される測定情報を検出することを周期的に中断するステップは、
前記ネットワーク装置により、前記方式情報と前記開始フレーム情報と前記中断間隔情報と前記中断持続時間情報とに基づいて複数の中断時間区分を判断するステップと、
前記ネットワーク装置により、前記複数の中断時間区分で前記端末装置へスケジューリング情報を送信することを中断するステップと、前記複数の中断時間区分で前記端末装置によって送信される測定情報を検出することを中断するステップとを含む、請求項3に記載の通信方法。
【請求項５】
前記端末装置が前記第1の通信規格の前記ネットワークから退去する前記方式が前記非周期的退去方式であり、なおかつ前記非周期的退去方式における第1の非周期的退去方式であることを前記方式情報が指示する場合、前記第1の非周期的退去方式は前記端末装置のコンテクスト情報を保持することが前記ネットワーク装置に要求されることを意味し、
前記ネットワーク装置により、前記方式情報に基づいて、前記端末装置へスケジューリング情報を送信することを中断する前記ステップと、前記端末装置によって送信される測定情報を検出することを中断するステップは、
前記ネットワーク装置により、前記方式情報に基づいて、前記端末装置へスケジューリング情報を送信することを中断するステップと、前記端末装置によって送信される測定情報を検出することを中断するステップと、前記端末装置の前記コンテクスト情報を保持するステップとを含む、請求項2に記載の通信方法。
【請求項６】
前記端末装置が前記第1の通信規格の前記ネットワークから退去する前記方式が前記非周期的退去方式であり、なおかつ前記非周期的退去方式における第2の非周期的退去方式であることを前記方式情報が指示する場合、前記第2の非周期的退去方式は前記端末装置のコンテクスト情報を解放することが前記ネットワーク装置に要求されることを意味し、
前記ネットワーク装置により、前記方式情報に基づいて、前記端末装置へスケジューリング情報を送信することを中断する前記ステップと、前記端末装置によって送信される測定情報を検出することを中断するステップは、
前記ネットワーク装置により、前記方式情報に基づいて、前記端末装置へスケジューリング情報を送信することを中断するステップと、前記端末装置によって送信される測定情報を検出することを中断するステップと、前記端末装置の前記コンテクスト情報を解放するステップとを含む、請求項2に記載の通信方法。
【請求項７】
第1の通信規格のネットワーク装置により、端末装置によって送信される中断通知メッセージを受信する前記ステップの前に、前記方法は、
前記ネットワーク装置により、前記端末装置へ指示情報を送信するステップであって、前記指示情報は、いずれかの端末装置が前記第1の通信規格の前記ネットワークから退去する前に前記いずれかの端末装置によって報告される中断通知メッセージを認識する能力を前記ネットワーク装置が有していることを指示するために使われる、ステップと、
前記ネットワーク装置により、前記指示情報に基づいて前記端末装置によって送信されるフィードバック情報を受信するステップであって、前記フィードバック情報は、前記端末装置が前記第1の通信規格の前記ネットワークから退去する前に前記ネットワーク装置に中断通知メッセージを報告する能力を有していることをフィードバックするために使われる、ステップとをさらに含む、請求項1から6のいずれか一項に記載の通信方法。
【請求項８】
通信方法であって、
端末装置により、第1の通信規格のネットワーク装置へ中断通知メッセージを送信するステップであって、前記中断通知メッセージは前記端末装置が第2の通信規格のネットワークをリスンするため前記第1の通信規格のネットワークから退去することを通知するために使われ、前記第1の通信規格の前記ネットワークはデータサービスを搬送し、前記第2の通信規格の前記ネットワークは音声サービスを搬送する、ステップと、
前記端末装置により、前記ネットワーク装置へ前記中断通知メッセージを送信した後に前記第1の通信規格の前記ネットワークから退去するステップとを含む、通信方法。
【請求項９】
端末装置により、第1の通信規格のネットワーク装置へ中断通知メッセージを送信する前記ステップの前に、前記方法は、
前記端末装置により、前記第1の通信規格の前記ネットワークから退去する方式を判断するステップであって、前記端末装置が前記第1の通信規格の前記ネットワークから退去する前記方式は周期的退去方式または非周期的退去方式を含む、ステップをさらに含み、
端末装置により、第1の通信規格のネットワーク装置へ中断通知メッセージを送信する前記ステップは、
前記端末装置により、前記ネットワーク装置へ前記中断通知メッセージを送信するステップであって、前記中断通知メッセージは前記端末装置が前記第1の通信規格の前記ネットワークから退去する前記方式についての情報を携え、前記方式情報は前記端末装置が前記第1の通信規格の前記ネットワークから退去する前記方式を指示するために使われる、ステップを含む、請求項8に記載の通信方法。
【請求項１０】
前記非周期的退去方式は第1の非周期的退去方式または第2の非周期的退去方式を含み、前記第1の非周期的退去方式は、前記端末装置のコンテクスト情報を保持することが前記ネットワーク装置に要求されることを意味し、前記第2の非周期的退去方式は、前記端末装置のコンテクスト情報を解放することが前記ネットワーク装置に要求されることを意味する、請求項9に記載の通信方法。
【請求項１１】
端末装置により、第1の通信規格のネットワーク装置へ中断通知メッセージを送信する前記ステップの前に、前記方法は、
前記端末装置により、前記ネットワーク装置によって送信される指示情報を受信するステップであって、前記指示情報は、いずれかの端末装置が前記第1の通信規格の前記ネットワークから退去する前に前記いずれかの端末装置によって報告される中断通知メッセージを認識する能力を前記ネットワーク装置が有していることを指示するために使われる、ステップと、
前記端末装置により、前記指示情報に基づいて前記ネットワーク装置へフィードバック情報を送信するステップであって、前記フィードバック情報は、前記端末装置が前記第1の通信規格の前記ネットワークから退去する前に前記ネットワーク装置に中断通知メッセージを報告する能力を有していることをフィードバックするために使われる、ステップとをさらに含む、請求項8から10のいずれか一項に記載の通信方法。
【請求項１２】
ネットワーク装置であって、
第1の通信規格の前記ネットワーク装置が端末装置によって送信される中断通知メッセージを受信するように構成された受信ユニットであって、前記中断通知メッセージは前記端末装置が第2の通信規格のネットワークをリスンするため前記第1の通信規格のネットワークから退去することを通知するために使われ、前記第1の通信規格の前記ネットワークはデータサービスを搬送し、前記第2の通信規格の前記ネットワークは音声サービスを搬送する、受信ユニットと、
前記ネットワーク装置が、前記受信ユニットによって受信される前記中断通知メッセージに従って、前記端末装置へスケジューリング情報を送信することを中断し、なおかつ前記端末装置によって送信される測定情報を検出することを中断するように構成された、処理ユニットとを含む、ネットワーク装置。
【請求項１３】
前記中断通知メッセージは前記端末装置が前記第1の通信規格の前記ネットワークから退去する方式についての情報を携え、前記方式情報は前記端末装置が前記第1の通信規格の前記ネットワークから退去する前記方式が周期的退去方式であるか、または非周期的退去方式であるかを指示するために使われ、
前記処理ユニットは、前記ネットワーク装置が、前記方式情報に基づいて、前記端末装置へスケジューリング情報を送信することを中断し、なおかつ前記端末装置によって送信される測定情報を検出することを中断するように具体的に構成される、請求項12に記載のネットワーク装置。
【請求項１４】
前記端末装置が前記第1の通信規格の前記ネットワークから退去する前記方式が前記周期的退去方式であることを前記方式情報が指示する場合、
前記処理ユニットは、前記ネットワーク装置が、前記方式情報に基づいて、前記端末装置へスケジューリング情報を送信することを周期的に中断し、なおかつ前記端末装置によって送信される測定情報を検出することを周期的に中断するように具体的に構成される、請求項13に記載のネットワーク装置。
【請求項１５】
前記中断通知メッセージは、中断開始フレーム情報と、中断間隔情報と、中断持続時間情報とをさらに携え、
前記処理ユニットは、前記ネットワーク装置が、
前記方式情報と前記開始フレーム情報と前記中断間隔情報と前記中断持続時間情報とに基づいて複数の中断時間区分を判断し、
前記複数の中断時間区分で前記端末装置へスケジューリング情報を送信することを中断し、なおかつ前記複数の中断時間区分で前記端末装置によって送信される測定情報を検出することを中断するように具体的に構成される、請求項14に記載のネットワーク装置。
【請求項１６】
前記端末装置が前記第1の通信規格の前記ネットワークから退去する前記方式が前記非周期的退去方式であり、なおかつ前記非周期的退去方式における第1の非周期的退去方式であることを前記方式情報が指示する場合、前記第1の非周期的退去方式は前記端末装置のコンテクスト情報を保持することが前記ネットワーク装置に要求されることを意味し、
前記処理ユニットは、前記ネットワーク装置が、前記方式情報に基づいて、前記端末装置へスケジューリング情報を送信することを中断し、前記端末装置によって送信される測定情報を検出することを中断し、なおかつ前記端末装置の前記コンテクスト情報を保持するように具体的に構成される、請求項13に記載のネットワーク装置。
【請求項１７】
前記端末装置が前記第1の通信規格の前記ネットワークから退去する前記方式が前記非周期的退去方式であり、なおかつ前記非周期的退去方式における第2の非周期的退去方式であることを前記方式情報が指示する場合、前記第2の非周期的退去方式は前記端末装置のコンテクスト情報を解放することが前記ネットワーク装置に要求されることを意味し、
前記処理ユニットは、前記ネットワーク装置が、前記方式情報に基づいて、前記端末装置へスケジューリング情報を送信することを中断し、前記端末装置によって送信される測定情報を検出することを中断し、なおかつ前記端末装置の前記コンテクスト情報を解放するように具体的に構成される、請求項13に記載のネットワーク装置。
【請求項１８】
前記ネットワーク装置は送信ユニットをさらに含み、
前記送信ユニットは、前記第1の通信規格の前記ネットワーク装置が前記端末装置によって送信される前記中断通知メッセージを受信する前に、前記ネットワーク装置が指示情報をブロードキャストするように構成され、前記指示情報は、いずれかの端末装置が前記第1の通信規格の前記ネットワークから退去する前に前記いずれかの端末装置によって報告される中断通知メッセージを認識する能力を前記ネットワーク装置が有していることを指示するために使われ、
前記受信ユニットは、前記ネットワーク装置が、前記指示情報に基づいて前記端末装置によって送信されるフィードバック情報を受信するようにさらに構成され、前記フィードバック情報は、前記端末装置が前記第1の通信規格の前記ネットワークから退去する前に前記ネットワーク装置に中断通知メッセージを報告する能力を有していることをフィードバックするために使われる、請求項12から17のいずれか一項に記載のネットワーク装置。
【請求項１９】
端末装置であって、
前記端末装置が第1の通信規格のネットワーク装置へ中断通知メッセージを送信するように構成された送信ユニットであって、前記中断通知メッセージは前記端末装置が第2の通信規格のネットワークをリスンするため前記第1の通信規格のネットワークから退去することを通知するために使われ、前記第1の通信規格の前記ネットワークはデータサービスを搬送し、前記第2の通信規格の前記ネットワークは音声サービスを搬送する、送信ユニットと、
前記送信ユニットが前記ネットワーク装置へ前記中断通知メッセージを送信した後に前記端末装置が前記第1の通信規格の前記ネットワークから退去するように構成された処理ユニットとを含む、端末装置。
【請求項２０】
前記端末装置は判断ユニットをさらに含み、
前記判断ユニットは、前記端末装置が前記第1の通信規格の前記ネットワーク装置へ前記中断通知メッセージを送信する前に、前記端末装置が、前記第1の通信規格の前記ネットワークから退去する方式を判断するように構成され、前記端末装置が前記第1の通信規格の前記ネットワークから退去する前記方式は周期的退去方式または非周期的退去方式を含み、
前記送信ユニットは、前記端末装置が、前記ネットワーク装置へ前記中断通知メッセージを送信するように具体的に構成され、前記中断通知メッセージは前記端末装置が前記第1の通信規格の前記ネットワークから退去する前記方式についての情報を携え、前記方式情報は前記端末装置が前記第1の通信規格の前記ネットワークから退去する前記方式を指示するために使われる、請求項19に記載の端末装置。
【請求項２１】
前記非周期的退去方式は第1の非周期的退去方式または第2の非周期的退去方式を含み、前記第1の非周期的退去方式は、前記端末装置のコンテクスト情報を保持することが前記ネットワーク装置に要求されることを意味し、前記第2の非周期的退去方式は、前記端末装置のコンテクスト情報を解放することが前記ネットワーク装置に要求されることを意味する、請求項20に記載の端末装置。
【請求項２２】
前記端末装置は受信ユニットをさらに含み、
前記受信ユニットは、前記端末装置が前記第1の通信規格の前記ネットワーク装置へ前記中断通知メッセージを送信する前に、前記端末装置が、前記ネットワーク装置によってブロードキャストされる指示情報を受信するように構成され、前記指示情報は、いずれかの端末装置が前記第1の通信規格の前記ネットワークから退去する前に前記いずれかの端末装置によって報告される中断通知メッセージを認識する能力を前記ネットワーク装置が有していることを指示するために使われ、
前記送信ユニットは、前記端末装置が、前記指示情報に基づいて前記ネットワーク装置へフィードバック情報を送信するようにさらに構成され、前記フィードバック情報は、前記端末装置が前記第1の通信規格の前記ネットワークから退去する前に前記ネットワーク装置に中断通知メッセージを報告する能力を有していることをフィードバックするために使われる、請求項19から21のいずれか一項に記載の端末装置。
【発明の詳細な説明】
【技術分野】
【０００１】
本発明は通信分野に関し、具体的には通信分野における通信方法、ネットワーク装置、および端末装置に関する。
【背景技術】
【０００２】
モバイル通信が3GPPロングタームエボリューション（Long Term Evolution、LTE）時代に入り、事業者たちは一般的にデータサービスを搬送するためにLTEを使用し、音声サービスを搬送するためにグローバル・システム・フォー・モバイル・コミュニケーションズ（Global System for Mobile Communications、GSM（登録商標））や符号分割多重アクセス（Code Division Multiple Access、CDMA）といった別の通信規格を使用している。このため、LTEネットワークを使ってデータサービスを送信／受信する場合、1T2Rタイプの端末は、別の通信規格のページングチャネルをリスンするため、なおかつ別の通信規格を使って音声サービスを送信／受信するため、周期的にまたは非周期的にLTEネットワークから退去する必要があり得る。この場合、LTEネットワークにおける全てのアップリンクおよびダウンリンクスケジューリング情報の送信や、物理的アップリンク制御チャネル（Physical Uplink Control Channel、PUCCH）と物理的アップリンク共用チャネル（Physical Uplink Shared Channel、PUSCH）の検出などは、あたかも通常の場合のように引き続き進行する。その結果、ネットワーク装置のスケジューリングリソースが浪費され、ネットワーク装置は端末装置がネットワークから退去した後に不正確な測定量を検出する可能性がある。
【発明の概要】
【０００３】
本発明は、ネットワーク装置のスケジューリングリソースを節約し、ネットワーク装置が不正確な測定量を検出することを防ぐため、通信方法、ネットワーク装置、および端末装置を提供する。
【課題を解決するための手段】
【０００４】
第1の態様によると、本発明は通信方法を提供し、該方法は、
第1の通信規格のネットワーク装置により、端末装置によって送信される中断通知メッセージを受信するステップであって、中断通知メッセージは端末装置が第2の通信規格のネットワークをリスンするため第1の通信規格のネットワークから退去することを通知するために使われ、第1の通信規格のネットワークはデータサービスを搬送し、第2の通信規格のネットワークは音声サービスを搬送する、ステップと、
ネットワーク装置により、中断通知メッセージに従って、端末装置へスケジューリング情報を送信することを中断するステップと、端末装置によって送信される測定情報を検出することを中断するステップとを含む。
【０００５】
本発明で提供される通信方法によると、端末装置によって送信され、端末装置がネットワークから退去することを指示するために使われる、中断通知メッセージを、受信した後に、ネットワーク装置は、端末装置へスケジューリング情報を送信することを中断し、なおかつ端末装置によって送信される測定情報を検出することを中断する。これはネットワーク装置のスケジューリングリソースを節約でき、端末装置がネットワークから退去した後にネットワーク装置が不正確な測定量を検出することを防ぐことができ、したがって、端末装置が後ほど第1の通信規格のネットワークに復帰した後に不正確な測定量を使うことによる測定精度への影響を回避できる。
【０００６】
本発明の実施形態における端末装置が1T2Rシングルアクティブ端末装置であってよいことを理解されたい。1T2Rは、端末装置の送信器が1つの送信アンテナを有することを、また端末装置の受信器が2つの受信アンテナを有することを、意味する。シングルアクティブは、端末装置が並行サービスを同時にサポートしないことを意味する。つまり、端末装置は、ある特定の時点に、LTEネットワークでデータサービスを送信／受信するか、音声サービスを搬送するネットワークで音声サービスを送信／受信するかのいずれかである。
【０００７】
第1の態様を参照し、第1の態様の第1の可能な実装において、中断通知メッセージは端末装置が第1の通信規格のネットワークから退去する方式についての情報を携え、方式情報は端末装置が第1の通信規格のネットワークから退去する方式が周期的退去方式であるか、または非周期的退去方式であるかを指示するために使われ、ネットワーク装置により、中断通知メッセージに従って、端末装置へスケジューリング情報を送信することを中断する該ステップと、端末装置によって送信される測定情報を検出することを中断するステップは、ネットワーク装置により、方式情報に基づいて、端末装置へスケジューリング情報を送信することを中断するステップと、端末装置によって送信される測定情報を検出することを中断するステップとを含む。
【０００８】
本発明で提供される通信方法によると、ネットワーク装置は中断通知メッセージに携えられた方式情報に基づいて対応する中断方式を使用して、端末装置へスケジューリング情報を送信することを中断し、なおかつ端末装置によって送信される測定情報を検出することを中断する。したがって、本方法は比較的高い柔軟性を有し、様々な端末装置退去方式の応用シナリオに応用できる。
【０００９】
第1の態様の第1の可能な実装を参照し、第1の態様の第2の可能な実装において、端末装置が第1の通信規格のネットワークから退去する方式が周期的退去方式であることを方式情報が指示する場合、ネットワーク装置により、方式情報に基づいて、端末装置へスケジューリング情報を送信することを中断する該ステップと、端末装置によって送信される測定情報を検出することを中断するステップは、ネットワーク装置により、方式情報に基づいて、端末装置へスケジューリング情報を送信することを周期的に中断するステップと、端末装置によって送信される測定情報を検出することを周期的に中断するステップとを含む。
【００１０】
任意に選べることとして、ネットワーク装置は、方式情報に基づいて、事前に合意される開始時点から、事前に合意される中断持続時間と中断間隔とに基づいて、端末装置へスケジューリング情報を送信することを周期的に中断してよく、なおかつ端末装置によって送信される測定情報を検出することを周期的に中断してよい。
【００１１】
第1の態様の第2の可能な実装を参照し、第1の態様の第3の可能な実装において、中断通知メッセージは、中断開始フレーム情報と、中断間隔情報と、中断持続時間情報とをさらに携え、ネットワーク装置により、方式情報に基づいて、端末装置へスケジューリング情報を送信することを周期的に中断する該ステップと、端末装置によって送信される測定情報を検出することを周期的に中断するステップは、ネットワーク装置により、方式情報と開始フレーム情報と中断間隔情報と中断持続時間情報とに基づいて複数の中断時間区分を判断するステップと、ネットワーク装置により、複数の中断時間区分で端末装置へスケジューリング情報を送信することを中断するステップと、複数の中断時間区分で端末装置によって送信される測定情報を検出することを中断するステップとを含む。
【００１２】
任意に選べることとして、ネットワーク装置は、複数の中断時間区分の外の時間区分で、端末装置へスケジューリング情報を送信することを再開してよく、なおかつ端末装置によって送信される測定情報を検出することを再開してよい。
【００１３】
第1の態様の第1の可能な実装を参照し、第1の態様の第4の可能な実装において、端末装置が第1の通信規格のネットワークから退去する方式が非周期的退去方式であり、なおかつ非周期的退去方式における第1の非周期的退去方式であることを方式情報が指示する場合、第1の非周期的退去方式は端末装置のコンテクスト情報を保持することがネットワーク装置に要求されることを意味し、ネットワーク装置により、方式情報に基づいて、端末装置へスケジューリング情報を送信することを中断する該ステップと、端末装置によって送信される測定情報を検出することを中断するステップは、ネットワーク装置により、方式情報に基づいて、端末装置へスケジューリング情報を送信することを中断するステップと、端末装置によって送信される測定情報を検出することを中断するステップと、端末装置のコンテクスト情報を保持するステップとを含む。
【００１４】
任意に選べることとして、ネットワーク装置は、端末装置へスケジューリング情報を送信することを中断し、端末装置によって送信される測定情報を検出することを中断した後に、端末装置によって送信される第1の再開通知メッセージをさらに受信してよい。第1の再開通知メッセージは端末装置が第1の通信規格のネットワークに復帰したことを通知するために使われる。ネットワーク装置は、第1の再開通知メッセージに基づいて、端末装置へスケジューリング情報を送信することを再開し、なおかつ端末装置によって送信される測定情報を検出することを再開する。
【００１５】
本発明で提供される通信方法によると、ネットワーク装置は、端末装置によって送信される中断通知メッセージと再開通知メッセージとに従って、端末装置がネットワークを退去するときと端末装置がネットワークに復帰するときを知り、端末装置がネットワークから不在となる時間区分において、端末装置へスケジューリング情報を送信することを中断し、なおかつ端末装置によって送信される測定情報を検出することを中断する。これはスケジューリングリソースを節約でき、端末装置がネットワークに復帰した後に、ネットワーク装置によって測定情報を検出する精度を改善できる。
【００１６】
第1の態様の第1の可能な実装を参照し、第1の態様の第5の可能な実装において、端末装置が第1の通信規格のネットワークから退去する方式が非周期的退去方式であり、なおかつ非周期的退去方式における第2の非周期的退去方式であることを方式情報が指示する場合、第2の非周期的退去方式は端末装置のコンテクスト情報を解放することがネットワーク装置に要求されることを意味し、ネットワーク装置により、方式情報に基づいて、端末装置へスケジューリング情報を送信することを中断する該ステップと、端末装置によって送信される測定情報を検出することを中断するステップは、ネットワーク装置により、方式情報に基づいて、端末装置へスケジューリング情報を送信することを中断するステップと、端末装置によって送信される測定情報を検出することを中断するステップと、端末装置のコンテクスト情報を解放するステップとを含む。
【００１７】
任意に選べることとして、ネットワーク装置は、中断通知メッセージを受信した後に、モビリティマネジメントエンティティMMEへ無線リソース制御RRC解放要求メッセージを送信し、アイドル状態に入る。
【００１８】
本発明で提供される通信方法によると、ネットワーク装置は、端末装置によって送信される中断通知メッセージに従って、電話サービスなどのトリガーのため端末装置が長時間にわたってネットワークから不在になることを知り、ネットワーク装置は端末装置を維持しなくなる。このように、必要としているさらなる端末装置をネットワーク装置に接続でき、ネットワーク装置のネットワークリソース利用が改善する。
【００１９】
第1の態様、または第1の態様の第1から第5の可能な実装のいずれか1つを参照し、第1の態様の第6の可能な実装において、第1の通信規格のネットワーク装置により、端末装置によって送信される中断通知メッセージを受信する該ステップの前に、方法は、ネットワーク装置により、端末装置へ指示情報を送信するステップであって、指示情報は、いずれかの端末装置が第1の通信規格のネットワークから退去する前に当該端末装置によって報告される中断通知メッセージを認識する能力をネットワーク装置が有していることを指示するために使われる、ステップと、ネットワーク装置により、指示情報に基づいて端末装置によって送信されるフィードバック情報を受信するステップであって、フィードバック情報は、端末装置が第1の通信規格のネットワークから退去する前にネットワーク装置に中断通知メッセージを報告する能力を有していることをフィードバックするために使われる、ステップとをさらに含む。
【００２０】
任意に選べることとして、第1の指示情報はシステム情報ブロックSIB1メッセージに携えられてよい。
【００２１】
本発明で提供される通信方法によると、ネットワーク装置と端末装置は、ピアエンドが中断通知メッセージを認識する能力を有していることをシグナリング相互作用を通じて知り、ネットワーク装置は、端末装置によって送信される中断通知メッセージに従って、端末装置へスケジューリング情報を送信することを中断でき、なおかつ端末装置によって送信される測定情報を検出することを中断できる。これはスケジューリングリソースを節約でき、不正確な測定量の検出を回避できる。
【００２２】
第2の態様によると、本発明は通信方法を提供し、該通信方法は、
端末装置により、第1の通信規格のネットワーク装置へ中断通知メッセージを送信するステップであって、中断通知メッセージは端末装置が第2の通信規格のネットワークをリスンするため第1の通信規格のネットワークから退去することを通知するために使われ、第1の通信規格のネットワークはデータサービスを搬送し、第2の通信規格のネットワークは音声サービスを搬送する、ステップと、
端末装置により、ネットワーク装置へ中断通知メッセージを送信した後に第1の通信規格のネットワークから退去するステップとを含む。
【００２３】
本発明で提供される通信方法によると、端末装置は、端末装置がネットワークから退去することを指示するために使われる中断通知メッセージをネットワーク装置へ送信した後に、ネットワーク装置のネットワークから退去し、ネットワーク装置は端末装置の退去を知り、端末装置がネットワークから退去した後に、端末装置へスケジューリング情報を送信することを中断し、なおかつ端末装置によって送信される測定情報を検出することを中断する。これはスケジューリングリソースを節約でき、端末装置がネットワークから退去した後にネットワーク装置が不正確な測定量を検出するのを防ぐことができる。
【００２４】
第2の態様を参照し、第2の態様の第1の可能な実装において、端末装置により、第1の通信規格のネットワーク装置へ中断通知メッセージを送信する該ステップの前に、方法は、
端末装置により、第1の通信規格のネットワークから退去する方式を判断するステップであって、端末装置が第1の通信規格のネットワークから退去する方式は周期的退去方式または非周期的退去方式を含む、ステップをさらに含み、端末装置により、第1の通信規格のネットワーク装置へ中断通知メッセージを送信する該ステップは、端末装置により、ネットワーク装置へ中断通知メッセージを送信するステップであって、中断通知メッセージは端末装置が第1の通信規格のネットワークから退去する方式についての情報を携え、方式情報は端末装置が第1の通信規格のネットワークから退去する方式を指示するために使われる、ステップを含む。
【００２５】
第2の態様の第1の可能な実装を参照し、第2の態様の第2の可能な実装において、非周期的退去方式は第1の非周期的退去方式または第2の非周期的退去方式を含み、第1の非周期的退去方式は、端末装置のコンテクスト情報を保持することがネットワーク装置に要求されることを意味し、第2の非周期的退去方式は、端末装置のコンテクスト情報を解放することがネットワーク装置に要求されることを意味する。
【００２６】
第2の態様、または第2の態様の第1または第2の可能な実装のいずれか1つを参照し、第2の態様の第3の可能な実装において、端末装置により、第1の通信規格のネットワーク装置へ中断通知メッセージを送信する該ステップの前に、方法は、端末装置により、ネットワーク装置によって送信される指示情報を受信するステップであって、指示情報は、いずれかの端末装置が第1の通信規格のネットワークから退去する前に当該端末装置によって報告される中断通知メッセージを認識する能力をネットワーク装置が有していることを指示するために使われる、ステップと、端末装置により、指示情報に基づいてネットワーク装置へフィードバック情報を送信するステップであって、フィードバック情報は、端末装置が第1の通信規格のネットワークから退去する前にネットワーク装置に中断通知メッセージを報告する能力を有していることをフィードバックするために使われる、ステップとをさらに含む。
【００２７】
第3の態様によると、本発明は、第1の態様または第1の態様のいずれかの可能な実装における通信方法を実行するように構成されたネットワーク装置を提供する。具体的に述べると、ネットワーク装置は、第1の態様または第1の態様のいずれかの可能な実装における通信方法を実行するように構成されたユニットを含む。
【００２８】
第4の態様によると、本発明は、第2の態様または第2の態様のいずれかの可能な実装における通信方法を実行するように構成された端末装置を提供する。具体的に述べると、端末装置は、第2の態様または第2の態様のいずれかの可能な実装における通信方法を実行するように構成されたユニットを含む。
【００２９】
第5の態様によると、本発明はネットワーク装置を提供し、ネットワーク装置は、受信器と、送信器と、メモリと、プロセッサと、バスシステムとを含む。受信器と送信器とメモリとプロセッサはバスシステムを用いて接続される。メモリは命令を保管するように構成される。プロセッサはメモリに保管された命令を実行し、なおかつ信号を送信するため送信器を制御するように構成される。プロセッサがメモリに保管された命令を実行すると、その実行により、プロセッサは第1の態様または第1の態様のいずれかの可能な実装における通信方法を実行することができる。
【００３０】
第6の態様によると、本発明は端末装置を提供し、端末装置は、受信器と、送信器と、メモリと、プロセッサと、バスシステムとを含む。受信器と送信器とメモリとプロセッサはバスシステムを用いて接続される。メモリは命令を保管するように構成される。プロセッサはメモリに保管された命令を実行し、なおかつ信号を送信するため送信器を制御するように構成される。プロセッサがメモリに保管された命令を実行すると、その実行により、プロセッサは第2の態様または第2の態様のいずれかの可能な実装における通信方法を実行することができる。
【００３１】
第7の態様によると、コンピュータプログラムを保管するように構成されたコンピュータ可読媒体が提供され、コンピュータプログラムは、第1の態様または第1の態様のいずれかの可能な実装における通信方法を実行するために使われる命令を含む。
【００３２】
第8の態様によると、コンピュータプログラムを保管するように構成されたコンピュータ可読媒体が提供され、コンピュータプログラムは、第2の態様または第2の態様のいずれかの可能な実装における通信方法を実行するために使われる命令を含む。
【００３３】
本発明の実施形態の技術的解決手段をより明確に説明するため、これ以降は本発明の実施形態の説明に必要な添付の図面を簡潔に説明する。
【図面の簡単な説明】
【００３４】
【図１】本発明の一実施形態による通信方法の概略流れ図である。
【図２】本発明の一実施形態による別の通信方法の概略流れ図である。
【図３】本発明の一実施形態によりネットワーク装置が端末装置との通信を中断するときの概略図である。
【図４】本発明の一実施形態によるネットワーク装置の概略ブロック図である。
【図５】本発明の一実施形態による端末装置の概略ブロック図である。
【図６】本発明の一実施形態による別のネットワーク装置の概略ブロック図である。
【図７】本発明の一実施形態による別の端末装置の概略ブロック図である。
【発明を実施するための形態】
【００３５】
これ以降は本発明の実施形態の添付の図面を参照しながら本発明の実施形態の技術的解決手段を説明する。
【００３６】
本発明の実施形態における端末装置が1T2Rシングルアクティブ端末装置であってよいことを理解されたい。1T2Rは、端末装置の送信器が1つの送信アンテナを有することを、また端末装置の受信器が2つの受信アンテナを有することを、意味する。シングルアクティブは、端末装置が並行サービスを同時にサポートしないことを意味する。つまり、端末装置は、ある特定の時点に、LTEネットワークでデータサービスを送信／受信するか、音声サービスを搬送するネットワークで音声サービスを送信／受信するかのいずれかである。
【００３７】
1T2Rシングルアクティブ端末装置が、LTEネットワークでデータサービスを送信／受信するときに、LTEネットワークを周期的にまたは非周期的に退去し、音声サービスを送信／受信するため別のネットワークへハンドオーバーされることをさらに理解されたい。このとき、LTEネットワークにおけるデータサービスの送信／受信は中断される。
【００３８】
任意に選べることとして、本発明の実施形態においてデータサービスを搬送するネットワークは、例えばLTEネットワークであってよく、あるいはLTEの後続エボルブドネットワークであってよい。これは本発明の実施形態で限定されない。
【００３９】
任意に選べることとして、本発明の実施形態において音声サービスを搬送するネットワークは、例えばGSM（登録商標）ネットワークであってよく、あるいはCDMAネットワークであってよい。これは本発明の実施形態で限定されない。
【００４０】
図1は本発明の一実施形態による通信方法100の概略流れ図である。図1に示されているように、通信方法100はネットワーク装置と端末装置との通信に使用できる。
【００４１】
S110．端末装置は第1の通信規格のネットワーク装置へ中断通知メッセージを送信し、中断通知メッセージは、端末装置が第2の通信規格のネットワークをリスンするため第1の通信規格のネットワークから退去することを端末装置に通知するために使われ、第1の通信規格のネットワークはデータサービスを搬送し、第2の通信規格のネットワークは音声サービスを搬送する。
【００４２】
S120．ネットワーク装置は、中断通知メッセージに従って端末装置へスケジューリング情報を送信することを中断し、なおかつ端末装置によって送信される測定情報を検出することを中断する。
【００４３】
S130．端末装置は、ネットワーク装置へ中断通知メッセージを送信した後に、第1の通信規格のネットワークから退去する。
【００４４】
S120とS130の実行に順序がないことを理解されたい。
【００４５】
本発明の本実施形態において、ネットワーク装置が例えば基地局であってよいこと、また端末装置が例えば1T2Rシングルアクティブモバイル端末であってよいことを理解されたい。ただし、本発明はこれに限定されない。
【００４６】
本発明で提供される通信方法によると、端末装置によって送信され、端末装置がネットワークから退去することを指示するために使われる、中断通知メッセージを、受信した後に、ネットワーク装置は、端末装置へスケジューリング情報を送信することを中断し、なおかつ端末装置によって送信される測定情報を検出することを中断する。これはネットワーク装置のスケジューリングリソースを節約でき、端末装置がネットワークから退去した後にネットワーク装置が不正確な測定量を検出することを防ぐことができ、したがって、端末装置が後ほど第1の通信規格のネットワークに復帰した後に不正確な測定量を使うことによる測定精度への影響を回避できる。
【００４７】
具体的に述べると、端末装置はS110で第1の通信規格のネットワークから退去する方式を判断してよい。端末装置が第1の通信規格のネットワークから退去する方式は、周期的退去方式または非周期的退去方式を含む。端末装置は方式情報を携えた中断通知メッセージをネットワーク装置へ送信してよく、方式情報は端末装置が第1の通信規格のネットワークから退去する方式を指示するために使われる。
【００４８】
本発明で提供される通信方法によると、ネットワーク装置は中断通知メッセージに携えられた方式情報に基づいて対応する中断方式を使用して、端末装置へスケジューリング情報を送信することを中断し、なおかつ端末装置によって送信される測定情報を検出することを中断する。したがって、本方法は比較的高い柔軟性を有し、様々な端末装置退去方式の応用シナリオに応用できる。
【００４９】
端末装置による第1の通信規格のネットワークからの周期的退去が、端末装置が特定の中断間隔と中断不在持続時間とに基づいて開始時点から周期的に第1の通信規格のネットワークから退去し復帰することを意味することを理解されたい。
【００５０】
任意に選べることとして、端末装置によって送信される中断通知メッセージ内の方式情報が、端末装置が第1の通信規格のネットワークから退去する方式が周期的退去方式であることを指示する場合、ネットワーク装置は、方式情報に基づいて、端末装置へスケジューリング情報を送信することを周期的に中断してよく、なおかつ端末装置によって送信される測定情報を検出することを周期的に中断してよい。
【００５１】
ネットワーク装置が端末装置へスケジューリング情報を送信することを中断する間隔が、ネットワーク装置が端末装置によって送信される測定情報を検出することを中断する間隔と同じであることを理解されたい。
【００５２】
任意の一実施形態において、ネットワーク装置は、方式情報に基づいて、端末装置と事前に合意される開始時点から、事前に合意される中断持続時間と中断間隔とに基づいて、スケジューリング情報を送信することと測定情報を検出することとを周期的に中断してよい。
【００５３】
別の任意の一実施形態において、中断通知メッセージは、中断開始フレーム情報と、中断間隔情報と、中断持続時間情報とをさらに携えてよい。ネットワーク装置は方式情報と開始フレーム情報と中断間隔情報と中断持続時間情報とに基づいて複数の中断時間区分を判断し、複数の中断時間区分で端末装置へスケジューリング情報を送信することを中断し、なおかつ複数の中断時間区分で端末装置によって送信される測定情報を検出することを中断する。これは本発明で限定されない。
【００５４】
任意に選べることとして、ネットワーク装置は、複数の中断時間区分の外の時間区分で、端末装置へスケジューリング情報を送信することを再開してよく、なおかつ端末装置によって送信される測定情報を検出することを再開してよい。
【００５５】
端末装置による第1の通信規格のネットワークからの非周期的な退去が、端末装置が特定の音声サービスのトリガー時に第1の通信規格のネットワークから退去することを意味することをさらに理解されたい。非周期的退去方式は第1の非周期的退去方式と第2の非周期的退去方式とに分けられる。第1の非周期的退去方式は、端末装置のコンテクスト情報を保持することがネットワーク装置に要求されることを意味し、第2の非周期的退去方式は、端末装置のコンテクスト情報を解放することがネットワーク装置に要求されることを意味する。
【００５６】
任意に選べることとして、第2の非周期的退去方式における不在持続時間は第1の非周期的退去方式における不在持続時間より大きい。例えば、第1の非周期的退去方式における不在持続時間は第1の閾値に満たなく、第2の非周期的退去方式における不在持続時間は第1の閾値より大きい。第2の非周期的退去方式による退去は、例えば電話サービスのトリガー時に退去することであってよい。ただし、これは本発明の本実施形態で限定されない。
【００５７】
任意に選べることとして、端末装置によって送信される中断通知メッセージ内の方式情報が、端末装置が第1の通信規格のネットワークから退去する方式が第1の非周期的退去方式であることを指示する場合、ネットワーク装置は、方式情報に基づいて、端末装置へスケジューリング情報を送信することを中断し、端末装置によって送信される測定情報を検出することを中断し、なおかつ端末装置のコンテクスト情報を保持する。
【００５８】
任意に選べることとして、端末装置は、第2の通信規格のネットワークをリスンするため第1の非周期的退去方式で第1の通信規格のネットワークから退去した後さらに、第1の通信規格のネットワークに復帰してよく、データサービスの送信／受信を再開してよい。ネットワーク装置は端末装置によって送信される第1の再開通知メッセージをさらに受信してよい。第1の再開通知メッセージは端末装置が第1の通信規格のネットワークに復帰したことを通知するために使われる。ネットワーク装置は、第1の再開通知メッセージに基づいて、端末装置へスケジューリング情報を送信することを再開してよく、なおかつ測定情報を検出することを再開してよい。
【００５９】
任意に選べることとして、ネットワーク装置は、端末装置が第1の非周期的退去方式で第1の通信規格のネットワークから退去するときにタイマーを開始してよい。タイマーが切れると、ネットワーク装置は端末装置のコンテクスト情報を解放してよい。これは本発明の本実施形態で限定されない。
【００６０】
任意に選べることとして、端末装置によって送信される中断通知メッセージ内の方式情報が、端末装置が第1の通信規格のネットワークから退去する方式が第2の非周期的退去方式であることを指示する場合、ネットワーク装置は、方式情報に基づいて、端末装置へスケジューリング情報を送信することを中断し、端末装置によって送信される測定情報を検出することを中断し、なおかつ端末装置のコンテクスト情報を解放する。
【００６１】
任意に選べることとして、ネットワーク装置は、中断通知メッセージを受信した後に、モビリティマネジメントエンティティMMEへ無線リソース制御RRC解放要求メッセージを送信してよく、アイドル状態に入ってよい。
【００６２】
例えば、端末装置はネットワーク装置のL3（Layer 3）層へ中断通知メッセージを送信してよく、L3層はMMEへRRC解放要求メッセージを送信し、MMEはネットワーク装置のRRへRRC解放コマンドを送信し、RRはRRC解放コマンドに従って端末装置のRRCリソースを解放し、MMEへRRC解放完了通知を送信する。
【００６３】
任意に選べることとして、端末装置はL2（Layer 2）層へ中断通知メッセージを送信してもよく、L2層はL3層へ中断通知メッセージを転送する。これは本発明の本実施形態で限定されない。
【００６４】
任意に選べることとして、端末装置は中断通知メッセージを送信した後に自動的にアイドル状態に入ってよい。
【００６５】
本発明で提供される通信方法によると、ネットワーク装置は、端末装置によって送信される中断通知メッセージに従って、電話サービスなどのトリガーのため端末装置が長時間にわたってネットワークから不在になることを知り、ネットワーク装置は端末装置を維持しなくなる。このように、必要としているさらなる端末装置をネットワーク装置に接続でき、ネットワーク装置のネットワークリソース利用が改善する。
【００６６】
ネットワーク装置のカバレッジエリア内にある全ての端末装置のうち、端末装置の一部または全部が1T2Rシングルアクティブ機能をサポートしてよいことを理解されたい。換言すると、端末装置の一部または全部はネットワーク装置に中断通知メッセージを報告する能力を有する。ネットワーク装置とネットワーク装置のカバレッジエリア内にある1T2Rシングルアクティブ機能を有する端末装置は、中断通知メッセージを認識する能力を有していることを、シグナリング相互作用によりピアエンドに事前に知らせる必要がある。
【００６７】
任意に選べることとして、ネットワーク装置はS110の前に端末装置へ指示情報を送信してよく、指示情報は、いずれかの端末装置が第1の通信規格のネットワークから退去する前に当該端末装置によって報告される中断通知メッセージを認識する能力をネットワーク装置が有していることを指示するために使われ、ネットワーク装置は指示情報に基づいて端末装置によって送信されるフィードバック情報を受信し、フィードバック情報は、端末装置が第1の通信規格のネットワークから退去する前にネットワーク装置に中断通知メッセージを報告する能力を有していることをフィードバックするために使われる。
【００６８】
任意に選べることとして、指示情報は、いずれかの端末装置が第1の通信規格のネットワークに復帰した後に当該端末装置によって報告される再開通知メッセージを認識する能力をネットワーク装置が有していることを指示するためにさらに使われてよい。ネットワーク装置は指示情報に基づいて端末装置によって送信されるフィードバック情報を受信してよく、フィードバック情報は、端末装置が第1の通信規格のネットワークに復帰した後にネットワーク装置に再開通知メッセージを報告する能力を有していることをフィードバックするために使われる。
【００６９】
任意に選べることとして、指示情報はネットワーク装置によって端末装置へ送信されるシステム情報ブロック（System Information Block、SIB）メッセージに携えられてよく、例えばSIB1の拡張フィールドに携えられてよい。あるいは、指示情報は別個に送信されてもよい。あるいは、指示情報は他のコントロールシグナリングに、または送信されるべきデータに、携えられてよい。これは本発明で限定されない。
【００７０】
任意に選べることとして、ネットワーク装置は端末装置へ指示情報を送信してよく、あるいは指示情報をブロードキャストまたはマルチキャストしてよい。これは本発明で限定されない。
【００７１】
本発明で提供される通信方法によると、ネットワーク装置と端末装置は、ピアエンドが中断通知メッセージを認識する能力を有していることをシグナリング相互作用を通じて知り、ネットワーク装置は、端末装置によって送信される中断通知メッセージに従って、端末装置へスケジューリング情報を送信することを中断でき、なおかつ端末装置によって送信される測定情報を検出することを中断できる。これはスケジューリングリソースを節約でき、不正確な測定量の検出を回避できる。
【００７２】
図2は本発明の一実施形態による通信方法200の概略流れ図である。図2に示されているように、通信方法200はネットワーク装置と端末装置との通信に使用できる。ネットワーク装置は例えばLTE基地局であってよく、端末装置は例えば1T2Rシングルアクティブモバイル端末であってよい。これは本発明で限定されない。
【００７３】
S201．LTE基地局は端末装置へ指示情報を送信し、指示情報は、端末装置が第2の通信規格のネットワークで音声サービスを送信／受信するためLTEネットワークから退去する前に端末装置によって報告される中断通知メッセージを認識する能力をLTE基地局が有していることを指示するために使われ、LTEネットワークはデータサービスを搬送し、第2の通信規格のネットワークは音声サービスを搬送する。
【００７４】
S202．端末装置は指示情報に基づいて基地局へフィードバック情報を送信し、フィードバック情報は、端末装置がLTEネットワークから退去する前に基地局に中断通知メッセージを報告する能力を有していることをフィードバックするために使われる。
【００７５】
S203．端末装置は基地局へ第1の中断通知メッセージを送信し、第1の中断通知メッセージは、端末装置が第2の通信規格のネットワークをリスンするため周期的退去方式でLTEネットワークから退去することを通知するために使われる。
【００７６】
S204．基地局は、第1の中断通知メッセージに基づいて、端末装置へスケジューリング情報を送信することを周期的に中断し、なおかつ端末装置によって送信される測定情報を検出することを周期的に中断する。
【００７７】
任意に選べることとして、基地局は、第1の中断通知メッセージを受信した後に、端末装置と事前に合意される開始時点から、事前に合意される中断持続時間と中断間隔とに基づいて、スケジューリング情報を送信することと測定情報を検出することとを周期的に中断する。
【００７８】
任意に選べることとして、第1の中断通知メッセージは、中断開始フレーム情報と、中断間隔情報と、中断持続時間情報とをさらに携えてよい。基地局は方式情報と開始フレーム情報と中断間隔情報と中断持続時間情報とに基づいて複数の中断時間区分を判断してよく、複数の中断時間区分で端末装置へスケジューリング情報を送信することを中断し、なおかつ端末装置によって送信される測定情報を検出することを中断する。
【００７９】
S205．端末装置は基地局へ第2の中断通知メッセージを送信し、第2の中断通知メッセージは、端末装置が第2の通信規格のネットワークをリスンするため第1の非周期的退去方式でLTEネットワークから退去することを通知するために使われる。
【００８０】
S206．基地局は、第2の中断通知メッセージに基づいて、端末装置へスケジューリング情報を送信することを中断し、端末装置によって送信される測定情報を検出することを中断し、なおかつ端末装置のコンテクスト情報を保持し、同時に、端末装置へスケジューリング情報を送信することを周期的に中断することと、端末装置によって送信される測定情報を検出することを周期的に中断することとを一時停止する。
【００８１】
S207．端末装置はネットワーク装置へ再開通知メッセージを送信し、再開通知メッセージは、端末装置がネットワーク装置のネットワークに復帰したことを通知するために使われる。
【００８２】
S208．ネットワーク装置は、再開通知メッセージに基づいて、端末装置へスケジューリング情報を送信することを周期的に中断することと、端末装置によって送信される測定情報を検出することを周期的に中断することとを再開する。
【００８３】
図3は、端末装置がネットワークから周期的に退去する過程で第1の非周期的退去方式でのネットワークからの退去がトリガーされるときの概略図である。図3に示されているように、中断間隔Tと中断持続時間△tによる端末装置の周期的退去はt1時点でトリガーされる。第1の中断時間区分はt1時点からt2時点までであり、第2の中断時間区分はt3時点からt4時点までであり、t2時点とt3時点との間の時間区分は端末装置がLTEネットワークに存在する時間区分である。
【００８４】
図3に示されているように、第1の非周期的方式における中断のトリガー時点がt5時点である場合、端末装置はこの時点で端末装置がLTEネットワークから不在となる時間区分の中にある。この場合、LTE基地局は、端末装置によって報告される再開通知メッセージが受信されるまでは、周期的中断からの端末装置の除外を維持することを一時停止する。
【００８５】
任意に選べることとして、LTE基地局がt6時点で端末装置によって報告される再開通知メッセージを受信する場合、LTE基地局は端末装置がLTEネットワークに復帰したと判断し、t6時点から周期的中断からの除外を維持することを再開する。具体的に述べると、LTE基地局はt6時点からt3時点までは端末装置へスケジューリング情報を送信し、なおかつ端末装置によって送信される測定情報を検出する。
【００８６】
任意に選べることとして、LTE基地局がt7時点で端末装置によって報告される再開通知メッセージを受信する場合、LTE基地局は端末装置がLTEネットワークに復帰したと判断し、t7時点から周期的中断からの除外を維持することを再開する。具体的に述べると、LTE基地局はt7時点からt3時点までは端末装置へスケジューリング情報を送信し、なおかつ端末装置によって送信される測定情報を検出する。
【００８７】
図3に示されているように、第1の非周期的方式における中断のトリガー時点がt8時点である場合、端末装置はこの時点で端末装置がLTEネットワークに存在する時間区分の中にある。この場合、LTE基地局は、端末装置によって報告される再開通知メッセージが受信されるまでは、周期的中断からの除外を維持することを一時停止する。
【００８８】
任意に選べることとして、LTE基地局がt9時点で端末装置によって報告される再開通知メッセージを受信する場合、LTE基地局は端末装置がLTEネットワークに復帰したと判断し、t9時点から周期的退去を維持することを再開する。具体的に述べると、LTE基地局はt9時点からt3時点までは端末装置へスケジューリング情報を送信し、なおかつ端末装置によって送信される測定情報を検出する。
【００８９】
任意に選べることとして、LTE基地局がt10時点で端末装置によって報告される再開通知メッセージを受信する場合、LTE基地局は端末装置がLTEネットワークに復帰したと判断し、t10時点から周期的退去を維持することを再開する。具体的に述べると、LTE基地局はt10時点から次の中断時間区分の開始時点までは端末装置へスケジューリング情報を送信し、なおかつ端末装置によって送信される測定情報を検出する。
【００９０】
本発明の実施形態における通信方法を図1および図3を参照しながら詳しく説明した。これ以降は本発明の実施形態におけるネットワーク装置と端末装置を図4から図7を参照しながら説明する。
【００９１】
図4は本発明の一実施形態によるネットワーク装置400を示している。ネットワーク装置400は、例えば基地局であってよい。ネットワーク装置400は、
第1の通信規格のネットワーク装置が端末装置によって送信される中断通知メッセージを受信するように構成された受信ユニット410であって、中断通知メッセージは端末装置が第2の通信規格のネットワークをリスンするため第1の通信規格のネットワークから退去することを通知するために使われ、第1の通信規格のネットワークはデータサービスを搬送し、第2の通信規格のネットワークは音声サービスを搬送する、受信ユニット410と、
ネットワーク装置が、受信ユニット410によって受信される中断通知メッセージに従って、端末装置へスケジューリング情報を送信することを中断し、なおかつ端末装置によって送信される測定情報を検出することを中断するように構成された、処理ユニット420とを含む。
【００９２】
任意に選べることとして、中断通知メッセージは端末装置が第1の通信規格のネットワークから退去する方式についての情報を携え、方式情報は端末装置が第1の通信規格のネットワークから退去する方式が周期的退去方式であるか、または非周期的退去方式であるかを指示するために使われる。処理ユニットは、ネットワーク装置が、方式情報に基づいて、端末装置へスケジューリング情報を送信することを中断し、なおかつ端末装置によって送信される測定情報を検出することを中断するように具体的に構成される。
【００９３】
任意に選べることとして、端末装置が第1の通信規格のネットワークから退去する方式が周期的退去方式であることを方式情報が指示する場合、処理ユニットは、ネットワーク装置が、方式情報に基づいて、端末装置へスケジューリング情報を送信することを周期的に中断し、なおかつ端末装置によって送信される測定情報を検出することを周期的に中断するように具体的に構成される。
【００９４】
任意に選べることとして、中断通知メッセージは、中断開始フレーム情報と、中断間隔情報と、中断持続時間情報とをさらに携え、処理ユニットは、ネットワーク装置が、方式情報と開始フレーム情報と中断間隔情報と中断持続時間情報とに基づいて、複数の中断時間区分を判断し、複数の中断時間区分で端末装置へスケジューリング情報を送信することを中断し、なおかつ複数の中断時間区分で端末装置によって送信される測定情報を検出することを中断するように具体的に構成される。
【００９５】
任意に選べることとして、端末装置が第1の通信規格のネットワークから退去する方式が非周期的退去方式であり、なおかつ非周期的退去方式における第1の非周期的退去方式であることを方式情報が指示する場合、第1の非周期的退去方式は端末装置のコンテクスト情報を保持することがネットワーク装置に要求されることを意味し、処理ユニットは、ネットワーク装置が、方式情報に基づいて、端末装置へスケジューリング情報を送信することを中断し、端末装置によって送信される測定情報を検出することを中断し、なおかつ端末装置のコンテクスト情報を保持するように具体的に構成される。
【００９６】
任意に選べることとして、端末装置が第1の通信規格のネットワークから退去する方式が非周期的退去方式であり、なおかつ非周期的退去方式における第2の非周期的退去方式であることを方式情報が指示する場合、第2の非周期的退去方式は端末装置のコンテクスト情報を解放することがネットワーク装置に要求されることを意味し、処理ユニットは、ネットワーク装置が、方式情報に基づいて、端末装置へスケジューリング情報を送信することを中断し、端末装置によって送信される測定情報を検出することを中断し、なおかつ端末装置のコンテクスト情報を解放するように具体的に構成される。
【００９７】
任意に選べることとして、ネットワーク装置は送信ユニットをさらに含む。送信ユニットは、第1の通信規格のネットワーク装置が端末装置によって送信される中断通知メッセージを受信する前に、ネットワーク装置が指示情報をブロードキャストするように構成される。指示情報は、いずれかの端末装置が第1の通信規格のネットワークから退去する前に当該端末装置によって報告される中断通知メッセージを認識する能力をネットワーク装置が有していることを指示するために使われる。受信ユニットは、ネットワーク装置が、指示情報に基づいて端末装置によって送信されるフィードバック情報を受信するようにさらに構成される。フィードバック情報は、端末装置が第1の通信規格のネットワークから退去する前にネットワーク装置に中断通知メッセージを報告する能力を有していることをフィードバックするために使われる。
【００９８】
本発明で提供される通信方法によると、端末装置によって送信され、端末装置がネットワークから退去することを指示するために使われる、中断通知メッセージを、受信した後に、ネットワーク装置は、端末装置へスケジューリング情報を送信することを中断し、なおかつ端末装置によって送信される測定情報を検出することを中断する。これはネットワーク装置のスケジューリングリソースを節約でき、端末装置がネットワークから退去した後にネットワーク装置が不正確な測定量を検出することを防ぐことができ、したがって、端末装置が後ほど第1の通信規格のネットワークに復帰した後に不正確な測定量を使うことによる測定精度への影響を回避できる。
【００９９】
ここでのネットワーク装置400が機能ユニットの形で具現されることを理解されたい。ここでの用語「ユニット」は、1つ以上のソフトウェアまたはファームウェアプログラムを実行するように構成された特定用途向け集積回路（英語：application−specific integrated circuit、略してASIC）、電子回路、プロセッサ（例えば共用プロセッサ、専用プロセッサ、またはグループプロセッサ）、およびメモリ、統合論理回路、および／または説明されている機能をサポートする別の適当なコンポーネントであってよい。任意の一例において、当業者は、ネットワーク装置400が具体的に前述の実施形態におけるネットワーク装置であってよいこと、またネットワーク装置400が、前述の方法の実施形態にあってネットワーク装置に対応する手順および／またはステップを遂行するように構成されてよいことを理解できる。繰り返しを避けるため、ここでは詳細を再度説明しない。
【０１００】
図5は本発明の一実施形態による端末装置500を示している。端末装置500は端末装置であってよく、例えばモバイル端末であってよい。端末装置500は、
端末装置が第1の通信規格のネットワーク装置へ中断通知メッセージを送信するように構成された送信ユニット510であって、中断通知メッセージは、端末装置が第2の通信規格のネットワークをリスンするため第1の通信規格のネットワークから退去することを通知するために使われ、第1の通信規格のネットワークはデータサービスを搬送し、第2の通信規格のネットワークは音声サービスを搬送する、送信ユニット510と、
送信ユニット510がネットワーク装置へ中断通知メッセージを送信した後に、端末装置が第1の通信規格のネットワークから退去するように構成された処理ユニット520とを含む。
【０１０１】
任意に選べることとして、端末装置は判断ユニットをさらに含む。判断ユニットは、端末装置が第1の通信規格のネットワーク装置へ中断通知メッセージを送信する前に、端末装置が第1の通信規格のネットワークから退去する方式を判断するように構成される。端末装置が第1の通信規格のネットワークから退去する方式は、周期的退去方式または非周期的退去方式を含む。送信ユニットは、端末装置がネットワーク装置へ中断通知メッセージを送信するように具体的に構成される。中断通知メッセージは端末装置が第1の通信規格のネットワークから退去する方式についての情報を携え、方式情報は端末装置が第1の通信規格のネットワークから退去する方式を指示するために使われる。
【０１０２】
任意に選べることとして、非周期的退去方式は第1の非周期的退去方式または第2の非周期的退去方式を含む。第1の非周期的退去方式は、端末装置のコンテクスト情報を保持することがネットワーク装置に要求されることを意味し、第2の非周期的退去方式は、端末装置のコンテクスト情報を解放することがネットワーク装置に要求されることを意味する。
【０１０３】
任意に選べることとして、端末装置は受信ユニットをさらに含む。受信ユニットは、端末装置が第1の通信規格のネットワーク装置へ中断通知メッセージを送信する前に、端末装置がネットワーク装置によってブロードキャストされる指示情報を受信するように構成される。指示情報は、いずれかの端末装置が第1の通信規格のネットワークから退去する前に当該端末装置によって報告される中断通知メッセージを認識する能力をネットワーク装置が有していることを指示するために使われる。送信ユニットは、端末装置が指示情報に基づいてネットワーク装置へフィードバック情報を送信するようにさらに構成される。フィードバック情報は、端末装置が第1の通信規格のネットワークから退去する前にネットワーク装置に中断通知メッセージを報告する能力を有していることをフィードバックするために使われる。
【０１０４】
本発明で提供される通信方法によると、端末装置は、端末装置がネットワークから退去することを指示するために使われる中断通知メッセージをネットワーク装置へ送信した後に、ネットワーク装置のネットワークから退去し、ネットワーク装置は端末装置の退去を知り、端末装置がネットワークから退去した後に、端末装置へスケジューリング情報を送信することを中断し、なおかつ端末装置によって送信される測定情報を検出することを中断する。これはスケジューリングリソースを節約でき、端末装置がネットワークから退去した後にネットワーク装置が不正確な測定量を検出するのを防ぐことができる。
【０１０５】
ここでの端末装置500が機能ユニットの形で具現されることを理解されたい。ここでの用語「ユニット」は、1つ以上のソフトウェアまたはファームウェアプログラムを実行するように構成されたASIC、電子回路、プロセッサ（例えば共用プロセッサ、専用プロセッサ、またはグループプロセッサ）、およびメモリ、統合論理回路、および／または説明されている機能をサポートする別の適当なコンポーネントであってよい。任意の一例において、当業者は、端末装置500が具体的に前述の実施形態における端末装置であってよいこと、また端末装置500が、前述の方法の実施形態にあって端末装置に対応する手順および／またはステップを遂行するように構成されてよいことを理解できる。繰り返しを避けるため、ここでは詳細を再度説明しない。
【０１０６】
図6は本発明の一実施形態によるネットワーク装置600を示している。ネットワーク装置600は、プロセッサ610と、送信器620と、受信器630と、メモリ640と、バスシステム650とを含む。プロセッサ610と送信器620と受信器630とメモリ640はバスシステム650を用いて接続される。メモリ640は命令を保管するように構成される。プロセッサ610は、送信器620を制御して信号を送信するため、あるいは受信器630を制御して信号を受信するため、メモリ640に保管された命令を実行するように構成される。送信器620と受信器630は通信インターフェースであってよい。具体的に述べると、送信器620はデータおよび／または命令を受信するように構成されたインターフェースであってよく、受信器630はデータおよび／または命令を送信するように構成されたインターフェースであってよい。ここではさらなる例を用いて送信器620と受信器630の具体的形態を説明することはしない。
【０１０７】
ネットワーク装置600が、前述の方法の実施形態にあってネットワーク装置に対応する手順および／またはステップを遂行するように構成されてよいことを理解されたい。任意に選べることとして、メモリ640は読み取り専用メモリとランダムアクセスメモリを含んでよく、プロセッサに命令とデータを提供してよい。メモリの一部は不揮発性ランダムアクセスメモリをさらに含んでよい。例えば、メモリは装置種類情報をさらに保管してよい。プロセッサ610はメモリに保管された命令を実行するように構成されてよい。プロセッサは、命令を実行するときに、前述の方法の実施形態にあってネットワーク装置に対応するステップを遂行してよい。
【０１０８】
本発明の本実施形態において、プロセッサが中央処理装置（英語：central processing unit、略してCPU）であってよいこと、あるいはプロセッサが別の汎用プロセッサ、デジタル信号プロセッサ（英語：digital signal processor、略してDSP）、特定用途向け集積回路ASIC、フィールドプログラマブルゲートアレイ（英語：field programmable gate array、略してFPGA）、別のプログラマブル論理デバイス、ディスクリートゲートまたはトランジスタ論理デバイス、ディスクリートハードウェアコンポーネントなどであってもよいことを理解されたい。汎用プロセッサはマイクロプロセッサであってよく、あるいはプロセッサは従来の何らかのプロセッサなどであってよい。
【０１０９】
図7は本発明の一実施形態による端末装置700を示している。端末装置700は、プロセッサ710と、送信器720と、受信器730と、メモリ740と、バスシステム750とを含む。プロセッサ710と送信器720と受信器730とメモリ740はバスシステム750を用いて接続される。メモリ740は命令を保管するように構成される。プロセッサ710は、送信器720を制御して信号を送信するため、あるいは受信器730を制御して信号を受信するため、メモリ740に保管された命令を実行するように構成される。送信器720と受信器730は通信インターフェースであってよい。具体的に述べると、送信器720はデータおよび／または命令を受信するように構成されたインターフェースであってよく、受信器730はデータおよび／または命令を送信するように構成されたインターフェースであってよい。ここではさらなる例を用いて送信器720と受信器730の具体的形態を説明することはしない。
【０１１０】
端末装置700が具体的に前述の実施形態の端末装置であってよいこと、また前述の方法の実施形態にあって端末装置に対応するステップおよび／または手順を遂行するように構成されてよいことを理解されたい。任意に選べることとして、メモリ740は読み取り専用メモリとランダムアクセスメモリを含んでよく、プロセッサに命令とデータを提供してよい。メモリの一部は不揮発性ランダムアクセスメモリをさらに含んでよい。例えば、メモリは装置種類情報をさらに保管してよい。プロセッサ710はメモリに保管された命令を実行するように構成されてよい。プロセッサは、命令を実行するときに、前述の方法の実施形態にあって端末装置に対応するステップを遂行してよい。
【０１１１】
本発明の本実施形態において、プロセッサがCPUであってよいこと、あるいはプロセッサが別の汎用プロセッサ、DSP、ASIC、FPGA、別のプログラマブル論理デバイス、ディスクリートゲートまたはトランジスタ論理デバイス、ディスクリートハードウェアコンポーネントなどであってもよいことを理解されたい。汎用プロセッサはマイクロプロセッサであってよく、あるいはプロセッサは従来の何らかのプロセッサなどであってよい。
【０１１２】
実装過程において、前述の方法のステップは、プロセッサ内のハードウェア集積論理回路を用いて実装されてよく、あるいはソフトウェアの形をとる命令を用いて実装されてよい。本発明の実施形態を参照して開示されている方法のステップは、ハードウェアプロセッサによって直接遂行されてよく、あるいはプロセッサ内のハードウェアとソフトウェアモジュールとの組み合わせを用いて遂行されてもよい。ソフトウェアモジュールは、ランダムアクセスメモリ、フラッシュメモリ、読み取り専用メモリ、プログラム可能読み取り専用メモリ、電気的消去可能プログラム可能メモリ、レジスタなど、当技術で成熟している記憶媒体に置かれてよい。記憶媒体はメモリ内に置かれ、プロセッサはメモリ内の命令を読み取り、プロセッサのハードウェアとともに前述の方法のステップを完了する。繰り返しを避けるため、ここでは詳細を再度説明しない。
【０１１３】
本願で提供されるいくつかの実施形態において、開示されているシステム、装置、および方法が別の様態で実装されてよいことを理解されたい。例えば、説明されている装置の実施形態は例に過ぎない。例えば、ユニットの分割は論理的な機能分割に過ぎず、実際の実装では別の分割であってもよい。例えば、複数のユニットやコンポーネントがまとめて別のシステムに組み込まれてもよく、一部の機能は無視されてもよく、あるいは遂行されなくてもよい。加えて、表示もしくは論述されている相互結合または直接結合または通信接続は何らかのインターフェース、装置、またはユニットを通じた間接結合または通信接続であってよく、電気的接続、機械的接続、またはその他の接続形態であってよい。
【０１１４】
単独部分として説明されているユニットは物理的に単独であってもなくてもよい。ユニットとして表示されている部分は物理的なユニットであってもなくてもよく、1ヶ所に置かれてもよく、複数のネットワークユニットに分散されてもよい。本発明の実施形態の解決手段の目的を達成するため、ユニットの一部または全部が実際のニーズに応じて選ばれてよい。
【０１１５】
統合されたユニットがソフトウェア機能ユニットの形で実装され、独立した製品として販売もしくは使用される場合、統合されたユニットはコンピュータ可読記憶媒体に保管されてよい。このような理解に基づき、本発明の技術的解決手段は、あるいは先行技術に寄与する部分は、あるいは技術的解決手段の全部または一部は、ソフトウェア製品の形で実装されてよい。コンピュータソフトウェア製品は記憶媒体に保管され、本発明の実施形態で説明されている方法のステップの全部または一部を遂行することをコンピュータ装置（パーソナルコンピュータ、サーバ、またはネットワーク装置などであってよい）に命じるいくつかの命令を含む。前述の記憶媒体は、USBフラッシュドライブ、リムーバブルハードディスク、読み取り専用メモリ（英語：read−only memory、略してROM）、ランダムアクセスメモリ（random access memory、略してRAM）、磁気ディスク、光ディスクなど、プログラムコードを保管できる何らかの媒体を含む。
【０１１６】
前述の説明は本発明の特定の実施形態に過ぎず、本発明の保護範囲を限定するものではない。本発明で開示されている技術的範囲内で当業者によって容易く考え出される変更や差し替えは本発明の保護範囲内にある。したがって、本発明の保護範囲は請求項の保護範囲に準ずる。
【符号の説明】
【０１１７】
100  通信方法
200  通信方法
400  ネットワーク装置
410  受信ユニット
420  処理ユニット
500  端末装置
510  送信ユニット
520  処理ユニット
600  ネットワーク装置
610  プロセッサ
620  送信器
630  受信器
640  メモリ
650  バスシステム
700  端末装置
710  プロセッサ
720  送信器
730  受信器
740  メモリ
750  バスシステム
【図１】
2019521617.tif 000003
【図２】
2019521617.tif 000004
【図３】
2019521617.tif 000005
【図４】
2019521617.tif 000006
【図５】
2019521617.tif 000007
【図６】
2019521617.tif 000008
【図７】
2019521617.tif 000009
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
通信方法であって、
第1の通信規格のネットワーク装置により、端末装置によって送信される中断通知メッセージを受信するステップであって、前記中断通知メッセージは前記端末装置が第2の通信規格のネットワークをリスンするため前記第1の通信規格のネットワークから退去することを通知するために使われ、前記第1の通信規格の前記ネットワークはデータサービスを搬送し、前記第2の通信規格の前記ネットワークは音声サービスを搬送する、ステップと、
前記ネットワーク装置により、前記中断通知メッセージに従って、前記端末装置へスケジューリング情報を送信することを中断するステップと、前記端末装置によって送信される測定情報を検出することを中断するステップとを含む、通信方法。
【請求項２】
前記中断通知メッセージは前記端末装置が前記第1の通信規格の前記ネットワークから退去する方式についての情報を携え、前記方式情報は前記端末装置が前記第1の通信規格の前記ネットワークから退去する前記方式が周期的退去方式であるか、または非周期的退去方式であるかを指示するために使われ、
前記ネットワーク装置により、前記中断通知メッセージに従って、前記端末装置へスケジューリング情報を送信することを中断する前記ステップと、前記端末装置によって送信される測定情報を検出することを中断するステップは、
前記ネットワーク装置により、前記方式情報に基づいて、前記端末装置へスケジューリング情報を送信することを中断するステップと、前記端末装置によって送信される測定情報を検出することを中断するステップとを含む、請求項1に記載の通信方法。
【請求項３】
前記端末装置が前記第1の通信規格の前記ネットワークから退去する前記方式が前記周期的退去方式であることを前記方式情報が指示する場合、
前記ネットワーク装置により、前記方式情報に基づいて、前記端末装置へスケジューリング情報を送信することを中断する前記ステップと、前記端末装置によって送信される測定情報を検出することを中断するステップは、
前記ネットワーク装置により、前記方式情報に基づいて、前記端末装置へスケジューリング情報を送信することを周期的に中断するステップと、前記端末装置によって送信される測定情報を検出することを周期的に中断するステップとを含む、請求項2に記載の通信方法。
【請求項４】
前記中断通知メッセージは、中断開始フレーム情報と、中断間隔情報と、中断持続時間情報とをさらに携え、
前記ネットワーク装置により、前記方式情報に基づいて、前記端末装置へスケジューリング情報を送信することを周期的に中断する前記ステップと、前記端末装置によって送信される測定情報を検出することを周期的に中断するステップは、
前記ネットワーク装置により、前記方式情報と前記開始フレーム情報と前記中断間隔情報と前記中断持続時間情報とに基づいて複数の中断時間区分を判断するステップと、
前記ネットワーク装置により、前記複数の中断時間区分で前記端末装置へスケジューリング情報を送信することを中断するステップと、前記複数の中断時間区分で前記端末装置によって送信される測定情報を検出することを中断するステップとを含む、請求項3に記載の通信方法。
【請求項５】
前記端末装置が前記第1の通信規格の前記ネットワークから退去する前記方式が前記非周期的退去方式であり、なおかつ前記非周期的退去方式における第1の非周期的退去方式であることを前記方式情報が指示する場合、前記第1の非周期的退去方式は前記端末装置のコンテクスト情報を保持することが前記ネットワーク装置に要求されることを意味し、
前記ネットワーク装置により、前記方式情報に基づいて、前記端末装置へスケジューリング情報を送信することを中断する前記ステップと、前記端末装置によって送信される測定情報を検出することを中断するステップは、
前記ネットワーク装置により、前記方式情報に基づいて、前記端末装置へスケジューリング情報を送信することを中断するステップと、前記端末装置によって送信される測定情報を検出することを中断するステップと、前記端末装置の前記コンテクスト情報を保持するステップとを含む、請求項2に記載の通信方法。
【請求項６】
前記端末装置が前記第1の通信規格の前記ネットワークから退去する前記方式が前記非周期的退去方式であり、なおかつ前記非周期的退去方式における第2の非周期的退去方式であることを前記方式情報が指示する場合、前記第2の非周期的退去方式は前記端末装置のコンテクスト情報を解放することが前記ネットワーク装置に要求されることを意味し、
前記ネットワーク装置により、前記方式情報に基づいて、前記端末装置へスケジューリング情報を送信することを中断する前記ステップと、前記端末装置によって送信される測定情報を検出することを中断するステップは、
前記ネットワーク装置により、前記方式情報に基づいて、前記端末装置へスケジューリング情報を送信することを中断するステップと、前記端末装置によって送信される測定情報を検出することを中断するステップと、前記端末装置の前記コンテクスト情報を解放するステップとを含む、請求項2に記載の通信方法。
【請求項７】
第1の通信規格のネットワーク装置により、端末装置によって送信される中断通知メッセージを受信する前記ステップの前に、前記方法は、
前記ネットワーク装置により、前記端末装置へ指示情報を送信するステップであって、前記指示情報は、いずれかの端末装置が前記第1の通信規格の前記ネットワークから退去する前に前記いずれかの端末装置によって報告される中断通知メッセージを認識する能力を前記ネットワーク装置が有していることを指示するために使われる、ステップと、
前記ネットワーク装置により、前記指示情報に基づいて前記端末装置によって送信されるフィードバック情報を受信するステップであって、前記フィードバック情報は、前記端末装置が前記第1の通信規格の前記ネットワークから退去する前に前記ネットワーク装置に中断通知メッセージを報告する能力を有していることをフィードバックするために使われる、ステップとをさらに含む、請求項1から6のいずれか一項に記載の通信方法。
【請求項８】
通信方法であって、
端末装置により、第1の通信規格のネットワーク装置へ中断通知メッセージを送信するステップであって、前記中断通知メッセージは前記端末装置が第2の通信規格のネットワークをリスンするため前記第1の通信規格のネットワークから退去することを通知するために使われ、前記第1の通信規格の前記ネットワークはデータサービスを搬送し、前記第2の通信規格の前記ネットワークは音声サービスを搬送する、ステップと、
前記端末装置により、前記ネットワーク装置へ前記中断通知メッセージを送信した後に前記第1の通信規格の前記ネットワークから退去するステップとを含む、通信方法。
【請求項９】
端末装置により、第1の通信規格のネットワーク装置へ中断通知メッセージを送信する前記ステップの前に、前記方法は、
前記端末装置により、前記第1の通信規格の前記ネットワークから退去する方式を判断するステップであって、前記端末装置が前記第1の通信規格の前記ネットワークから退去する前記方式は周期的退去方式または非周期的退去方式を含む、ステップをさらに含み、
端末装置により、第1の通信規格のネットワーク装置へ中断通知メッセージを送信する前記ステップは、
前記端末装置により、前記ネットワーク装置へ前記中断通知メッセージを送信するステップであって、前記中断通知メッセージは前記端末装置が前記第1の通信規格の前記ネットワークから退去する前記方式についての情報を携え、前記方式情報は前記端末装置が前記第1の通信規格の前記ネットワークから退去する前記方式を指示するために使われる、ステップを含む、請求項8に記載の通信方法。
【請求項１０】
前記非周期的退去方式は第1の非周期的退去方式または第2の非周期的退去方式を含み、前記第1の非周期的退去方式は、前記端末装置のコンテクスト情報を保持することが前記ネットワーク装置に要求されることを意味し、前記第2の非周期的退去方式は、前記端末装置のコンテクスト情報を解放することが前記ネットワーク装置に要求されることを意味する、請求項9に記載の通信方法。
【請求項１１】
端末装置により、第1の通信規格のネットワーク装置へ中断通知メッセージを送信する前記ステップの前に、前記方法は、
前記端末装置により、前記ネットワーク装置によって送信される指示情報を受信するステップであって、前記指示情報は、いずれかの端末装置が前記第1の通信規格の前記ネットワークから退去する前に前記いずれかの端末装置によって報告される中断通知メッセージを認識する能力を前記ネットワーク装置が有していることを指示するために使われる、ステップと、
前記端末装置により、前記指示情報に基づいて前記ネットワーク装置へフィードバック情報を送信するステップであって、前記フィードバック情報は、前記端末装置が前記第1の通信規格の前記ネットワークから退去する前に前記ネットワーク装置に中断通知メッセージを報告する能力を有していることをフィードバックするために使われる、ステップとをさらに含む、請求項8から10のいずれか一項に記載の通信方法。
【請求項１２】
ネットワーク装置であって、
第1の通信規格の前記ネットワーク装置が端末装置によって送信される中断通知メッセージを受信するように構成された受信ユニットであって、前記中断通知メッセージは前記端末装置が第2の通信規格のネットワークをリスンするため前記第1の通信規格のネットワークから退去することを通知するために使われ、前記第1の通信規格の前記ネットワークはデータサービスを搬送し、前記第2の通信規格の前記ネットワークは音声サービスを搬送する、受信ユニットと、
前記ネットワーク装置が、前記受信ユニットによって受信される前記中断通知メッセージに従って、前記端末装置へスケジューリング情報を送信することを中断し、なおかつ前記端末装置によって送信される測定情報を検出することを中断するように構成された、処理ユニットとを含む、ネットワーク装置。
【請求項１３】
前記中断通知メッセージは前記端末装置が前記第1の通信規格の前記ネットワークから退去する方式についての情報を携え、前記方式情報は前記端末装置が前記第1の通信規格の前記ネットワークから退去する前記方式が周期的退去方式であるか、または非周期的退去方式であるかを指示するために使われ、
前記処理ユニットは、前記ネットワーク装置が、前記方式情報に基づいて、前記端末装置へスケジューリング情報を送信することを中断し、なおかつ前記端末装置によって送信される測定情報を検出することを中断するように構成される、請求項12に記載のネットワーク装置。
【請求項１４】
前記端末装置が前記第1の通信規格の前記ネットワークから退去する前記方式が前記周期的退去方式であることを前記方式情報が指示する場合、
前記処理ユニットは、前記ネットワーク装置が、前記方式情報に基づいて、前記端末装置へスケジューリング情報を送信することを周期的に中断し、なおかつ前記端末装置によって送信される測定情報を検出することを周期的に中断するように構成される、請求項13に記載のネットワーク装置。
【請求項１５】
前記中断通知メッセージは、中断開始フレーム情報と、中断間隔情報と、中断持続時間情報とをさらに携え、
前記処理ユニットは、前記ネットワーク装置が、
前記方式情報と前記開始フレーム情報と前記中断間隔情報と前記中断持続時間情報とに基づいて複数の中断時間区分を判断し、
前記複数の中断時間区分で前記端末装置へスケジューリング情報を送信することを中断し、なおかつ前記複数の中断時間区分で前記端末装置によって送信される測定情報を検出することを中断するように構成される、請求項14に記載のネットワーク装置。
【請求項１６】
前記端末装置が前記第1の通信規格の前記ネットワークから退去する前記方式が前記非周期的退去方式であり、なおかつ前記非周期的退去方式における第1の非周期的退去方式であることを前記方式情報が指示する場合、前記第1の非周期的退去方式は前記端末装置のコンテクスト情報を保持することが前記ネットワーク装置に要求されることを意味し、
前記処理ユニットは、前記ネットワーク装置が、前記方式情報に基づいて、前記端末装置へスケジューリング情報を送信することを中断し、前記端末装置によって送信される測定情報を検出することを中断し、なおかつ前記端末装置の前記コンテクスト情報を保持するように構成される、請求項13に記載のネットワーク装置。
【請求項１７】
前記端末装置が前記第1の通信規格の前記ネットワークから退去する前記方式が前記非周期的退去方式であり、なおかつ前記非周期的退去方式における第2の非周期的退去方式であることを前記方式情報が指示する場合、前記第2の非周期的退去方式は前記端末装置のコンテクスト情報を解放することが前記ネットワーク装置に要求されることを意味し、
前記処理ユニットは、前記ネットワーク装置が、前記方式情報に基づいて、前記端末装置へスケジューリング情報を送信することを中断し、前記端末装置によって送信される測定情報を検出することを中断し、なおかつ前記端末装置の前記コンテクスト情報を解放するように構成される、請求項13に記載のネットワーク装置。
【請求項１８】
前記ネットワーク装置は送信ユニットをさらに含み、
前記送信ユニットは、前記第1の通信規格の前記ネットワーク装置が前記端末装置によって送信される前記中断通知メッセージを受信する前に、前記ネットワーク装置が指示情報をブロードキャストするように構成され、前記指示情報は、いずれかの端末装置が前記第1の通信規格の前記ネットワークから退去する前に前記いずれかの端末装置によって報告される中断通知メッセージを認識する能力を前記ネットワーク装置が有していることを指示するために使われ、
前記受信ユニットは、前記ネットワーク装置が、前記指示情報に基づいて前記端末装置によって送信されるフィードバック情報を受信するようにさらに構成され、前記フィードバック情報は、前記端末装置が前記第1の通信規格の前記ネットワークから退去する前に前記ネットワーク装置に中断通知メッセージを報告する能力を有していることをフィードバックするために使われる、請求項12から17のいずれか一項に記載のネットワーク装置。
【請求項１９】
端末装置であって、
前記端末装置が第1の通信規格のネットワーク装置へ中断通知メッセージを送信するように構成された送信ユニットであって、前記中断通知メッセージは前記端末装置が第2の通信規格のネットワークをリスンするため前記第1の通信規格のネットワークから退去することを通知するために使われ、前記第1の通信規格の前記ネットワークはデータサービスを搬送し、前記第2の通信規格の前記ネットワークは音声サービスを搬送する、送信ユニットと、
前記端末装置が、前記ネットワーク装置へ前記中断通知メッセージを送信した後に前記第1の通信規格の前記ネットワークから退去するように構成された処理ユニットとを含む、端末装置。
【請求項２０】
前記端末装置は判断ユニットをさらに含み、
前記判断ユニットは、前記端末装置が前記第1の通信規格の前記ネットワーク装置へ前記中断通知メッセージを送信する前に、前記端末装置が、前記第1の通信規格の前記ネットワークから退去する方式を判断するように構成され、前記端末装置が前記第1の通信規格の前記ネットワークから退去する前記方式は周期的退去方式または非周期的退去方式を含み、
前記送信ユニットは、前記端末装置が、前記ネットワーク装置へ前記中断通知メッセージを送信するように構成され、前記中断通知メッセージは前記端末装置が前記第1の通信規格の前記ネットワークから退去する前記方式についての情報を携え、前記方式情報は前記端末装置が前記第1の通信規格の前記ネットワークから退去する前記方式を指示するために使われる、請求項19に記載の端末装置。
【請求項２１】
前記非周期的退去方式は第1の非周期的退去方式または第2の非周期的退去方式を含み、前記第1の非周期的退去方式は、前記端末装置のコンテクスト情報を保持することが前記ネットワーク装置に要求されることを意味し、前記第2の非周期的退去方式は、前記端末装置のコンテクスト情報を解放することが前記ネットワーク装置に要求されることを意味する、請求項20に記載の端末装置。
【請求項２２】
前記端末装置は受信ユニットをさらに含み、
前記受信ユニットは、前記端末装置が前記第1の通信規格の前記ネットワーク装置へ前記中断通知メッセージを送信する前に、前記端末装置が、前記ネットワーク装置によってブロードキャストされる指示情報を受信するように構成され、前記指示情報は、いずれかの端末装置が前記第1の通信規格の前記ネットワークから退去する前に前記いずれかの端末装置によって報告される中断通知メッセージを認識する能力を前記ネットワーク装置が有していることを指示するために使われ、
前記送信ユニットは、前記端末装置が、前記指示情報に基づいて前記ネットワーク装置へフィードバック情報を送信するようにさらに構成され、前記フィードバック情報は、前記端末装置が前記第1の通信規格の前記ネットワークから退去する前に前記ネットワーク装置に中断通知メッセージを報告する能力を有していることをフィードバックするために使われる、請求項19から21のいずれか一項に記載の端末装置。
【手続補正２】
【補正対象書類名】明細書
【補正対象項目名】００９９
【補正方法】変更
【補正の内容】
【００９９】
ここでのネットワーク装置400が機能ユニットの形で具現されることを理解されたい。ここでの用語「ユニット」は、1つ以上のソフトウェアまたはファームウェアプログラムを実行するように構成された特定用途向け集積回路（application−specific integrated circuit、ASIC）、電子回路、プロセッサ（例えば共用プロセッサ、専用プロセッサ、またはグループプロセッサ）、およびメモリ、統合論理回路、および／または説明されている機能をサポートする別の適当なコンポーネントであってよい。任意の一例において、当業者は、ネットワーク装置400が具体的に前述の実施形態におけるネットワーク装置であってよいこと、またネットワーク装置400が、前述の方法の実施形態にあってネットワーク装置に対応する手順および／またはステップを遂行するように構成されてよいことを理解できる。繰り返しを避けるため、ここでは詳細を再度説明しない。
【手続補正３】
【補正対象書類名】明細書
【補正対象項目名】０１０８
【補正方法】変更
【補正の内容】
【０１０８】
本発明の本実施形態において、プロセッサが中央処理装置（central processing unit、CPU）であってよいこと、あるいはプロセッサが別の汎用プロセッサ、デジタル信号プロセッサ（digital signal processor、DSP）、特定用途向け集積回路ASIC、フィールドプログラマブルゲートアレイ（field programmable gate array、FPGA）、別のプログラマブル論理デバイス、ディスクリートゲートまたはトランジスタ論理デバイス、ディスクリートハードウェアコンポーネントなどであってもよいことを理解されたい。汎用プロセッサはマイクロプロセッサであってよく、あるいはプロセッサは従来の何らかのプロセッサなどであってよい。
【手続補正４】
【補正対象書類名】明細書
【補正対象項目名】０１１５
【補正方法】変更
【補正の内容】
【０１１５】
統合されたユニットがソフトウェア機能ユニットの形で実装され、独立した製品として販売もしくは使用される場合、統合されたユニットはコンピュータ可読記憶媒体に保管されてよい。このような理解に基づき、本発明の技術的解決手段は、あるいは先行技術に寄与する部分は、あるいは技術的解決手段の全部または一部は、ソフトウェア製品の形で実装されてよい。コンピュータソフトウェア製品は記憶媒体に保管され、本発明の実施形態で説明されている方法のステップの全部または一部を遂行することをコンピュータ装置（パーソナルコンピュータ、サーバ、またはネットワーク装置などであってよい）に命じるいくつかの命令を含む。前述の記憶媒体は、USBフラッシュドライブ、リムーバブルハードディスク、読み取り専用メモリ（read−only memory、ROM）、ランダムアクセスメモリ（random access memory、RAM）、磁気ディスク、光ディスクなど、プログラムコードを保管できる何らかの媒体を含む。
【国際調査報告】
2019521617.tif 000010
2019521617.tif 000011
2019521617.tif 000012
2019521617.tif 000013